(57)【要約】【課題】足の濡れる恐れを低減させ、濡れた時に水を迅速に排出することが可能なサンダルを提供する。【解決手段】サンダル１０は、インソール３０およびクレープソール４０を有する。インソール３０の第一層３１は、複数の垂直排水孔３１２を有する。第二層３２は、左右両側を貫通する複数の水平排水溝３２２を有する。垂直排水孔３１２は水平排水溝３２２と連通し、サンダル１０が濡れた時に、第一層３１の水は垂直排水孔３１２を通って水平排水溝３２２に流れ込み、インソール３０の外部に流出することができる。クレープソール４０は、前切欠部４３、前支持部４４、後支持部４５および後切欠部４６を有する。前支持部４４および後支持部４５でインソール３０を持ち上げ、使用者の足底を地面からより高く離れさせ、足が濡れる恐れを低減させることができる。サンダル１０を履くことで、使用者は歩く際の感覚が快適になる。【選択図】図２
2012024183.tif 000002
【特許請求の範囲】
【請求項１】
使用者の足底に接触するインソールと、
地面に接触するように前記インソールの下方に接合され、底部に前切欠部、前支持部および後支持部を有するクレープソールと、を備え、
前記前切欠部は、前記クレープソールの先端から後方へ伸びて形成され、
前記前支持部は、前記前切欠部の後方へと連結するように前記クレープソールの前半部に位置付けられ、かつ少なくとも二つの突起部および前記二つの突起部の間に形成された陥没溝を有し、
前記後支持部は、前記前支持部の後方に位置付けられ、かつ少なくとも一つの突起部を有することを特徴とするサンダル。
【請求項２】
前記クレープソールの前記後支持部は、二つの突起部および前記二つの突起部の間に形成された陥没溝を有することを特徴とする請求項１に記載のサンダル。
【請求項３】
使用者の足底に接触するインソールと、
地面に接触するように前記インソールの下方に接合され、底部に前切欠部、前支持部および後支持部を有するクレープソールと、を備え、
前記前切欠部は、前記クレープソールの先端から後方へ伸びて形成され、
前記前支持部は、前記前切欠部の後方に位置付けられ、かつ少なくとも一つの突起部を有し、
前記後支持部は、前記前支持部の後方かつ前記クレープソールの後半部に位置付けられ、かつ少なくとも二つの突起部および前記二つの突起部の間に形成された陥没溝を有することを特徴とするサンダル。
【請求項４】
前記前支持部の突起部および前記後支持部の突起部は、左右方向に沿って横向きに伸びて形成されることを特徴とする請求項１から請求項３のいずれか一項に記載のサンダル。
【請求項５】
前記前支持部の突起部および前記後支持部の突起部は、波状を呈することを特徴とする請求項１から請求項３のいずれか一項に記載のサンダル。
【請求項６】
前記クレープソールの底部の先端から全長の１／３離れる部位は、前記前支持部の陥没溝内に据えられることを特徴とする請求項１または請求項２に記載のサンダル。
【請求項７】
前記クレープソールの底部の末端から全長の１／６離れる部位は、前記後支持部内に据えられることを特徴とする請求項１から請求項３のいずれか一項に記載のサンダル。
【請求項８】
前記前支持部の突起部および前記後支持部の突起部は、底面が起伏状を呈することを特徴とする請求項１から請求項３のいずれか一項に記載のサンダル。
【請求項９】
前記クレープソールは、底部にさらに後切欠部を有し、前記後切欠部は前記クレープソールの末端から前方へ伸びて形成され、かつ前記後支持部の後方に位置付けられることを特徴とする請求項１から請求項３のいずれか一項に記載のサンダル。
【請求項１０】
前記クレープソールは、前後両端の底部に斜面を別々に有することを特徴とする請求項９に記載のサンダル。
【請求項１１】
前記クレープソールの前記後切欠部の長さは、全長の６％以上９％以下であることを特徴とする請求項９に記載のサンダル。
【請求項１２】
前記クレープソールの前記前切欠部の長さは、全長の１２％以上１８％以下であることを特徴とする請求項１から請求項３のいずれか一項に記載のサンダル。
【請求項１３】
前記前支持部は、間隔を置いて環状に配列された複数の突起部を有し、前記後支持部は、間隔を置いて環状に配列された複数の突起部を有することを特徴とする請求項１から請求項３のいずれか一項に記載のサンダル。
【請求項１４】
前記クレープソールは、複数のブロックを組み合わせて構成されることを特徴とする請求項１から請求項３のいずれか一項に記載のサンダル。
【請求項１５】
前記インソールは、複数の垂直排水孔および複数の水平排水溝を有し、前記垂直排水孔は前記水平排水溝へと連通することを特徴とする請求項１から請求項３のいずれか一項に記載のサンダル。
【請求項１６】
前記クレープソールは、底座を有し、前記底座は射出成形法によって直接形成されるか、または予め製作した雛型に切削または研磨を行うことによって形成されることを特徴とする請求項１から請求項３のいずれか一項に記載のサンダル。
【発明の詳細な説明】
【技術分野】
【０００１】
本発明は、サンダルに関する。
【背景技術】
【０００２】
サンダルはレジャーで履かれることが多いので、消費者がサンダルを購入する際、履き心地は主に考慮される要素である。特に水遊び、温泉、ＳＰＡなどの水に関連するレジャーをする時、足が濡れることが多いのでサンダルを履く。しかしながら、サンダルが濡れてしまうと足に不快感を与える。
【０００３】
上述した問題を解決するために、従来サンダルの一部は、通気性および排水性のある材質または早く乾く材質を採用する。このようなサンダルを使用しても、濡れたサンダルを乾燥させるまでの間に、足の不快感に耐えなければならない。言い換えれば、上述したサンダルには改善の余地がある。
なお、サンダルは例えば、特許文献１に開示されている。
【先行技術文献】
【特許文献】
【０００４】
【特許文献１】特開２００７−３０７３３１号公報
【発明の概要】
【発明が解決しようとする課題】
【０００５】
本発明の主な目的は、水を渡る際、足が濡れる恐れを低減させ、歩く際、快適に感じることができるサンダルを提供することである。本発明の他の目的は、濡れた時に水を迅速に排出することによって不快感を改善することができるサンダルを提供することである。
【課題を解決するための手段】
【０００６】
上述の目的を達成するために、本発明によるサンダルは、インソールおよびクレープソールを備える。インソールは使用者の足底に接触する。クレープソールは地面に接触するようにインソールの下方に接合され、底部に前切欠部、前支持部および後支持部を有する。前切欠部はクレープソールの先端から後方へ伸びて形成される。前支持部は前切欠部の後方へと連結するようにクレープソールの前半部に位置付けられ、かつ少なくとも二つの突起部を有する。後支持部は前支持部の後方に位置付けられ、かつ少なくとも一つの突起部を有する。クレープソールの前支持部および後支持部によってインソールを持ち上げ、使用者の足底を地面からより高く離れさせることが可能であるため、水を渡る際、足が濡れる可能性を低減させることが可能となる。前支持部の突起部の間に形成された陥没溝によってサンダルの陥没溝に対応する部位が弾性的に湾曲変形し、前切欠部によってサンダルが前に傾くことが可能であるため、インソールは足底の力を受けて弾性的に湾曲変形し、足底に密着し、足底の圧力を確実に解放することが可能となる。使用者は歩く時、足底が前に傾くことによって快適に歩くことが可能となる。従って、本発明によるサンダルを履くことで、使用者は歩く際の感覚が快適になる。
【０００７】
さらに、本発明によるサンダルは、インソールに配置された複数の垂直排水孔および複数の水平排水溝を有する。垂直排水孔は水平排水溝へと連通するため、サンダルが濡れた時、水は垂直排水孔から水平排水溝に流入し、そののちインソールの外部に流出することが可能である。従って、サンダルが濡れた時、水を迅速に流出させることによって濡れたサンダルを履いた時の不快感を改善することが可能となる。
【図面の簡単な説明】
【０００８】
【図１】本発明の第１実施形態によるサンダルを示す分解斜視図である。
【図２】本発明の第１実施形態によるサンダルを示す斜視図である。
【図３】本発明の第１実施形態の変形例によるサンダルのクレープソールを構成した複数のブロックを示す分解斜視図である。
【図４】本発明の第１実施形態によるサンダルを示す側面図である。
【図５】本発明の第２実施形態によるサンダルを示す側面図である。
【図６】本発明の第３実施形態によるサンダルを示す側面図である。
【図７】本発明の第４実施形態によるサンダルを示す側面図である。
【図８】本発明の第５実施形態によるサンダルを示す底面図である。
【図９】本発明の第６実施形態によるサンダルを示す底面図である。
【図１０】本発明の第７実施形態によるサンダルのインソールを示す斜視図である。
【図１１】図１０中の１１−１１線に沿った断面図である。
【発明を実施するための形態】
【０００９】
以下、本発明によるサンダルを図面に基づいて説明する。
（第１実施形態）
図１〜図４に、本発明の第１実施形態によるサンダルを示す。
図１および図２に示すように、本発明の第１実施形態によるサンダル１０は、ストラップ２０、インソール３０およびクレープソール４０を備える。
【００１０】
図１に示すように、インソール３０は、三層の片体を重ねて接着することによって形成される。一番上の第一層３１は複数の垂直排水孔３１２を有し、垂直排水孔３１２は口径が漸減する漏斗状を呈する。第二層３２は第一層３１の下方に接合され、左右両側を貫通する複数の水平排水溝３２２を有する。垂直排水孔３１２は水平排水溝３２２へと連通するため、第一層３１の水は垂直排水孔３１２を通って水平排水溝３２２に流れ込み、インソール３０の外部に流出することが可能である。第三層３３は、第二層３２の下方に接合され、五つの装着孔３３２を有する。ストラップ２０は五つの固定部２２が装着孔３３２内に制限されることによってインソール３０に固定される。ストラップ２０とインソール３０とは、使用者の足を収容し、かつ歩く時に足とサンダル１０とを分離させないことができる空間を構成する。
【００１１】
クレープソール４０は、インソール３０の下方に接着される底座４１と、底座４１の下方に接着される四つの滑り止め４２とを有する。また図２に示すように、クレープソール４０は底部に前後の順によって配列される前切欠部４３、前支持部４４、後支持部４５および後切欠部４６を有する。前切欠部４３はクレープソール４０の先端から後方へ伸びて形成され、欠け口を呈する。前支持部４４は前切欠部４３の後方に位置付けられる第一突起部４４１と、第一突起部４４１の後方に位置付けられる第二突起部４４２とを有し、第一突起部４４１と第二突起部４４２との間に陥没溝４４３が形成される。後支持部４５は、第一突起部４５１と、第一突起部４５１の後方に位置付けられる第二突起部４５２とを有し、第一突起部４５１と第二突起部４５２との間に陥没溝４５３が形成される。前支持部４４の第一突起部４４１および第二突起部４４２と、後支持部４５の第一突起部４５１および第二突起部４５２とは、左右方向、即ち横向きに伸びて形成される。後切欠部４６はクレープソール４０の末端から後支持部４５の第二突起部４５２まで伸びて形成され、かつ欠け口を呈する。底座４１は射出成形方法によって直接形成されるか、或いは予め雛型を製作し、そののち切削、研磨などの加工方法によって前切欠部位４３、陥没溝４４３、陥没溝４５３および後切欠部位４６を形成する。
【００１２】
上述したサンダル１０のクレープソール４０において、前支持部４４の第一突起部４４１および第二突起部４４２と、後支持部４５の第一突起部４５１および第二突起部４５２とはそれぞれ底部に滑り止め４２を有し、滑り止め４２は地面に接触する底面が起伏状を呈するため、滑り止め効果を果たすことが可能である。前支持部４４および後支持部４５はクレープソール４０の前半部および後半部に別々に位置付けられるため、前支持部４４の第一突起部４４１および第二突起部４４２と、後支持部４５の第一突起部４５１および第二突起部４５２とはバランスを取りながらサンダル１０を持ち上げ、インソール３０の使用者の足底に接触する足載せ台３４と地面との間に距離を置くことが可能である。従って、サンダル１０は水を渡る時に足が濡れる恐れを低減させることが可能となる。
【００１３】
図４に示すように、クレープソール４０の底部の先端から全長Ｌの１／３離れる部位は前支持部４４の陥没溝４４３内に据えられ、クレープソール４０の底部の末端から全長Ｌの１／６離れる部位は後支持部４５内に据えられる。使用者が足底の長さより大きいサンダル１０を履いて立つ時、足底の前半部および後半部の重心はそれぞれ前支持部４４の陥没溝４４３および後支持部４５の陥没溝４５３に垂直である。サンダル１０の前支持部４４の陥没溝４４３および後支持部４５の陥没溝４５３に対応する部位は、足底の力を受ける際、前支持部４４の陥没溝４４３および後支持部４５の陥没溝４５３によって湾曲変形し、足底をインソール３０により密着させ、圧力を確実に解放することが可能である。
【００１４】
前切欠部４３の長さＬ１は全長Ｌの１２％以上１８％以下であり、特に１５％前後が好ましい。後切欠部４６の長さＬ２は全長Ｌの６％以上９％以下であり、特に７．５％前後が好ましい。使用者がサンダル１０を履いて歩く時、前切欠部４３および後切欠部４６によって足底を前か後に傾けて快調に歩くことが可能である。
【００１５】
上述したとおり、サンダル１０は、水を渡る時に足底とそれに接触するインソール３０の足載せ台３４が濡れる恐れを低減させることが可能なことに限らず、サンダル１０が濡れても水を迅速に排出することが可能であるため、濡れたサンダルを履いた時の不快感を改善することが可能となる。サンダル１０を履くことで、使用者は歩く際の感覚が快適になる。
（第２実施形態）
【００１６】
図５に、本発明の第２実施形態によるサンダルを示す。
図５に示すように、サンダル１０のクレープソール４０は、前後両端の底部に斜面４３２および斜面４６２を別々に形成する。使用者はサンダル１０を履くとき、快調に歩くことが可能である。
（第３実施形態）
【００１７】
図６に、本発明の第３実施形態によるサンダルを示す。
図６に示すように、サンダル１０は、前支持部４４、後支持部４５を有する。前支持部４４は一つの突起部４４４のみを有することによってバランスを取りながらインソール３０を持ち上げる。
（第４実施形態）
【００１８】
図７に、本発明の第４実施形態によるサンダルを示す。
図７に示すように、サンダル１０は、前支持部４４、後支持部４５を有する。後支持部４５は一つの突起部４５４のみを有することによってバランスを取りながらインソール３０を持ち上げる。
（第５実施形態）
【００１９】
図８に、本発明の第５実施形態によるサンダルを示す。
図８に示すように、サンダル１０は、前支持部４４、後支持部４５を有する。前支持部４４の第一突起部４４１および第二突起部４４２と、後支持部４５の第一突起部４５１および第二突起部４５２とは波状を呈し、第１実施形態と同じ効果を達成することも可能である。
（第６実施形態）
【００２０】
図９に、本発明の第６実施形態によるサンダルを示す。
図９に示すように、サンダル１０は、前支持部４４、後支持部４５を有する。前支持部４４は間隔を置いて環状に配列された複数の突起部４４６を有し、後支持部４５は間隔を置いて環状に配列された複数の突起部４５６を有する。これにより、前支持部４４および後支持部４５は足底を持ち上げ、足底の圧力を解放することが可能である。
（第７実施形態）
【００２１】
図１０および図１１に、本発明の第７実施形態によるサンダルを示す。
図１０および図１１に示すように、インソール３０は片状の上層部３５および下層部３６を重ねて接着することによって構成される。上層部３５は複数の垂直排水孔３５２および複数の水平排水溝３５４を有する。水平排水溝３５４はインソール３０の左右両側を貫通する。垂直排水孔３５２は水平排水溝３５４へと連通する。下層部３６はストラップ２０の固定部２２の固定に用いる五つの装着孔（図中未表示）を有する。
【００２２】
第２〜第７実施形態の使用及び特徴は第１実施形態と同じであるため、詳細な説明を省略する。
【００２３】
本発明において、ストラップは第１実施形態の記載に限らず、本実施形態に記載した機能を達成可能な任意の形にしてもよい。
第１実施形態では、底座４１は、射出成形方法によって直接形成されるか、または予め雛型を形成し、そののち切削、研磨などの加工方法によって前切欠部、陥没溝、および後切欠部を形成することとしたが、図３（変形例）に示すように、この底座は、厚さが異なる複数のブロックから構成されることにしてもよい。
【００２４】
以上、本発明は、上記実施形態になんら限定されるものではなく、発明の趣旨を逸脱しない範囲において種々の形態で実施可能である。
【符号の説明】
【００２５】
１０・・・サンダル、
２０・・・ストラップ、
２２・・・固定部、
３０・・・インソール、
３１・・・第一層、
３１２・・・垂直排水孔、
３２・・・第二層、
３２２・・・水平排水溝、
３３・・・第三層、
３３２・・・装着孔、
３４・・・足載せ台、
３５・・・上層部、
３５２・・・垂直排水孔、
３５４・・・水平排水溝、
３６・・・下層部、
４０・・・クレープソール、
４１・・・底座、
４１２・・・ブロック、
４２・・・滑り止め、
４３・・・前切欠部、
４３２・・・斜面、
４４・・・前支持部、
４４１・・・第一突起部、
４４２・・・第二突起部、
４４３・・・陥没溝、
４４４・・・突起部、
４４６・・・突起部、
４５・・・後支持部、
４５１・・・第一突起部、
４５２・・・第二突起部、
４５３・・・陥没溝、
４５４・・・突起部、
４５６・・・突起部、
４６・・・後切欠部、
４６２・・・斜面、
Ｌ・・・全長、
Ｌ１・・・前切欠部の長さ、
Ｌ２・・・後切欠部の長さ。
【図１】
2012024183.tif 000003
【図２】
2012024183.tif 000004
【図３】
2012024183.tif 000005
【図４】
2012024183.tif 000006
【図５】
2012024183.tif 000007
【図６】
2012024183.tif 000008
【図７】
2012024183.tif 000009
【図８】
2012024183.tif 000010
【図９】
2012024183.tif 000011
【図１０】
2012024183.tif 000012
【図１１】
2012024183.tif 000013